(57)【要約】【課題】容易にパネルに取り付けることができるグロメットを提供する。【解決手段】グロメット１はパネル２の孔３に取り付けられる。グロメット１は拡径筒部１１を備えている。拡径筒部１１の大径側の他端部１１ｂには係止凹部１３が設けられている。係止凹部１３はパネル２の孔３に係止する。係止凹部１３は拡径筒部１１の他端部１１ｂ寄りの第１の壁１４とこの第１の壁１４に対向する一端部１１ａ寄りの第２の壁１５により形成されている。第２の壁１５の表面１５ａから凹の凹み１９が拡径筒部１１の全周に亘って形成されている。凹み１９は第２の壁１５の表面１５ａから拡径筒部１１の外表面１１ａに向かって延びている。【選択図】図６
2005210883.tif 000002
【特許請求の範囲】
【請求項１】
小径側の端部から大径側の端部に向けて徐々に内外径が拡大するとともに筒状に形成されて内側にワイヤハーネスを通す拡径筒部と、
前記拡径筒部の大径側の端部に設けられた係止凹部と、を備え、前記拡径筒部を小径側の端部側からパネルの孔内に挿入し、前記係止凹部が前記孔内に係止するグロメットにおいて、
前記係止凹部は、前記拡径筒部の大径側の端部寄りの第１の壁と、この第１の壁と対向する小径側の端部寄りの第２の壁とにより形成され、前記第２の壁を内方に撓ませて、前記孔内に係止するとともに、
前記第２の壁の表面から凹の凹みを備えたことを特徴とするグロメット。
【請求項２】
前記凹みは、前記第２の壁の表面から前記拡径筒部の外表面に向かって延びていることを特徴とする請求項１記載のグロメット。
【請求項３】
前記凹みは、前記第２の壁の表面から、前記拡径筒部の外表面と平行に延びていることを特徴とする請求項１記載のグロメット。
【請求項４】
前記拡径筒部の外表面から凸で、かつ周方向に間隔をあけているとともに前記拡径筒部の軸芯に沿って延びた複数のリブを備えたことを特徴とする請求項１から請求項３のうちいずれか一項に記載のグロメット。
【請求項５】
前記凹みは、前記拡径筒部の全周に亘って設けられていることを特徴とする請求項１から請求項４のうちいずれか一項に記載のグロメット。
【請求項６】
前記凹みは、前記拡径筒部の前記リブが設けられた箇所に設けられていることを特徴とする請求項４記載のグロメット。
【発明の詳細な説明】
【技術分野】
【０００１】
本発明は、車両としての自動車などの車体を構成するパネルに取り付けられかつ内側にワイヤハーネスを通すグロメットに関する。
【背景技術】
【０００２】
車両としての自動車などの車体を構成するパネルに設けられた孔内にワイヤハーネスを通し、かつ前記ワイヤハーネスに水などの水分（液体）が付着することを防止するために、例えば、図３１に示すような従来から種々のグロメット１０１（例えば、特許文献１参照）を用いてきた。図３１に例示されたグロメット１０１は、筒部１０２と、筒部１０２に連なり一端から他端に向かうにしたがって徐々に内外径が拡大する拡径筒部１０３と、この拡径筒部１０３の全周に亘って設けられかつ前記パネルの穴に係止する係止凹部１０４とを一体に備え、ゴムなどからなる。
【０００３】
前述したグロメット１０１は、拡径筒部１０３内にワイヤハーネスを通し、筒部１０２及びこの拡径筒部１０３の小径側の端からパネルの孔内に挿入される。拡径筒部１０３が縮径（内外径が縮小することを示す）する方向に一旦弾性変形した後、係止凹部１０４が孔内に係止して、前述したパネルに取り付けられる。このように、従来のグロメット１０１は、拡径筒部１０３を縮径する方向に一旦弾性変形して、パネルに取り付けられてきた。
【特許文献１】特開平７−１６３０３４号公報
【発明の開示】
【発明が解決しようとする課題】
【０００４】
前述した従来のグロメット１０１は、パネルに取り付けられた後の該パネルとの間を水密に保つために（パネルとの間の防水性を確保するために）、前述した係止凹部１０４を形成する拡径筒部１０３の小径側の壁１０５（図３２に示す）を厚くする必要が生じる。また、グロメット１０１は、パネルに取り付ける際に、拡径筒部１０３の特に前述した壁１０５の弾性復元力より強い力で孔に圧入する必要がある。このため、従来のグロメット１０１は、前述した壁１０５が縮径する方向に弾性変形しにくく、比較的強い力でパネルの孔内に圧入する必要が生じる。
【０００５】
このため、従来のグロメット１０１は、パネルに取り付ける際に、拡径筒部１０３が弾性変形しにくいので、拡径筒部１０３の表面とパネルの孔の内縁との間に大きな摩擦力が生じて、該パネルに取り付けにくかった。さらに、最悪の場合には、前述した拡径筒部１０３の表面とパネルの孔の内縁との間に生じた摩擦力により、拡径筒部１０３の表面が破損することも考えられる。
【０００６】
したがって、本発明の目的は、容易にパネルに取り付けることができるグロメットを提供することにある。
【課題を解決するための手段】
【０００７】
前記課題を解決し目的を達成するために、請求項１に記載の本発明のグロメットは、小径側の端部から大径側の端部に向けて徐々に内外径が拡大するとともに筒状に形成されて内側にワイヤハーネスを通す拡径筒部と、前記拡径筒部の大径側の端部に設けられた係止凹部と、を備え、前記拡径筒部を小径側の端部側からパネルの孔内に挿入し、前記係止凹部が前記孔内に係止するグロメットにおいて、前記係止凹部は、前記拡径筒部の大径側の端部寄りの第１の壁と、この第１の壁と対向する小径側の端部寄りの第２の壁とにより形
成され、前記第２の壁を内方に撓ませて、前記孔内に係止するとともに、前記第２の壁の表面から凹の凹みを備えたことを特徴としている。
【０００８】
請求項２に記載の本発明のグロメットは、請求項１に記載のグロメットにおいて、前記凹みは、前記第２の壁の表面から前記拡径筒部の外表面に向かって延びていることを特徴としている。
【０００９】
請求項３に記載の本発明のグロメットは、請求項１に記載のグロメットにおいて、前記凹みは、前記第２の壁の表面から、前記拡径筒部の外表面と平行に延びていることを特徴としている。
【００１０】
請求項４に記載の本発明のグロメットは、請求項１から請求項３のうちいずれか一項に記載のグロメットにおいて、前記拡径筒部の外表面から凸で、かつ周方向に間隔をあけているとともに前記拡径筒部の軸芯に沿って延びた複数のリブを備えたことを特徴としている。
【００１１】
請求項５に記載の本発明のグロメットは、請求項１から請求項４のうちいずれか一項に記載のグロメットにおいて、前記凹みは、前記拡径筒部の全周に亘って設けられていることを特徴としている。
【００１２】
請求項６に記載の本発明のグロメットは、請求項４に記載のグロメットにおいて、前記凹みは、前記拡径筒部の前記リブが設けられた箇所に設けられていることを特徴としている。
【００１３】
請求項１に記載した本発明のグロメットによれば、第２の壁の表面から凹の凹みを備えているので、パネルの孔内に拡径筒部の小径側から挿入すると、凹みがつぶれる方向に特に第２の壁即ち拡径筒部が弾性変形する。このため、容易に拡径筒部が、縮径（内外径が縮小することを示す）する方向に弾性変形する。
【００１４】
また、パネルに係止凹部が係止した後即ちパネルに取り付けられた後に、パネルに取り付ける際と逆向きに引っ張られると、拡径筒部は、凹みが拡がる方向に弾性変形する。即ち、特に第２の壁が拡径（内外径が拡大することを示す）する方向に、拡径筒部が弾性変形する。
【００１５】
請求項２に記載した本発明のグロメットによれば、第２の壁の表面から凹でかつこの第２の壁の表面から拡径筒部の外表面に向かって延びた凹みを備えているので、パネルの孔内に拡径筒部の小径側から挿入すると、凹みがつぶれる方向に特に第２の壁即ち拡径筒部が弾性変形する。このため、容易に拡径筒部が、縮径（内外径が縮小することを示す）する方向に弾性変形する。
【００１６】
請求項３に記載した本発明のグロメットによれば、第２の壁の表面から凹でかつこの第２の壁の表面から拡径筒部の外表面と平行に延びた凹みを備えているので、パネルの孔内に拡径筒部の小径側から挿入すると、凹みがつぶれる方向に特に第２の壁即ち拡径筒部が弾性変形する。このため、容易に拡径筒部が、縮径（内外径が縮小することを示す）する方向に弾性変形する。
【００１７】
請求項４に記載した本発明のグロメットによれば、拡径筒部の表面から凸のリブを複数備えている。このため、パネルに取り付ける際に、リブのみがパネルと接触する。このように、パネルに取り付けられる際に、該パネルとの接触面積が小さくなる。
【００１８】
請求項５に記載した本発明のグロメットによれば、凹みが全周に亘って設けられているので、パネルに取り付ける際に、全周に亘って拡径筒部が縮径する方向に弾性変形し易くなっている。
【００１９】
請求項６に記載した本発明のグロメットによれば、凹みがリブの設けられた箇所に設けられているので、パネルに取り付ける際に、特にリブ及び拡径筒部のリブが設けられた箇所が縮径する方向に弾性変形し易くなっている。
【発明の効果】
【００２０】
以上説明したように、請求項１から請求項３に記載の本発明は、凹みがつぶれるなどして、容易に拡径筒部が縮径する方向に弾性変形しやすい。したがって、容易に車体を構成するパネルに取り付けることができる。
【００２１】
また、パネルに取り付けられた後に、パネルに取り付けられる際と逆向きに引っ張られると、特に第２の壁が拡径する方向に、拡径筒部が弾性変形する。このため、係止凹部の係止後に不意にパネルから脱落することを確実に防止できる。
【００２２】
請求項４に記載の本発明は、パネルに取り付ける際に、リブのみがパネルと接触して、パネルとの接触面積が小さくなる。このため、パネルに取り付ける際に、リブ及び拡径筒
部のリブが設けられた箇所に局部的な圧縮変形が起こり、拡径筒部が縮径する方向により弾性変形し易くなる。このため、より容易に車体を構成するパネルに取り付けることができる。
【００２３】
請求項５に記載の本発明は、凹みが全周に亘って設けられているので、全周に亘って拡径筒部が縮径する方向に弾性変形し易くなっている。したがって、より一層容易に車体を構成するパネルに取り付けることができる。
【００２４】
請求項６に記載の本発明は、凹みがリブの設けられた箇所に設けられているので、特にリブ及び拡径筒部のリブが設けられた箇所が縮径する方向に弾性変形し易くなっている。このため、パネルに取り付ける際に、リブ及び拡径筒部のリブが設けられた箇所に局部的な圧縮変形がより確実に起こる。このため、より一層容易に車体を構成するパネルに取り付けることができる。
【発明を実施するための最良の形態】
【００２５】
［第１の実施形態］
以下、本発明の第１の実施形態にかかるグロメットを、図１ないし図１１を参照して説明する。本発明の第１の実施形態にかかるグロメット１（図１ないし図１１に示す）は、車両としての自動車などの車体を構成するパネル２（図１、図６ないし図１１に示す）に設けられた孔３に取り付けられる。パネル２の孔３の内縁から円環状のリング部４が立設している。リング部４は、パネル２に一体に形成されている。図１に示す場合では、前記孔３は、平面形状が丸形に形成されている。
【００２６】
グロメット１は、筒状に形成されているとともに、内側に前記自動車に配索されるワイヤハーネス５（図６中に二点鎖線で示す）を通す。グロメット１は、パネル２との間を水密に保ち、該パネル２との間から内側に水などの水分（液体）が浸入することを防止して、前記ワイヤハーネス５に水などの水分（液体）が付着することを防止する。
【００２７】
グロメット１は、弾性変形自在な弾性材料としてのゴムなどからなる。グロメット１は、図１ないし図３に示すように、筒状に形成された小径筒部１０と、拡径筒部１１とを一体に備えている。小径筒部１０は、円筒状に形成されており、内側にワイヤハーネス５（図６中に二点鎖線で示す）を通す。小径筒部１０の外径は、孔３の内径より小さい。拡径筒部１１は、一端部１１ａが小径筒部１０に連なりこの小径筒部１０から離れるのにしたがって即ち他端部１１ｂに向かうにしたがって内外径が徐々に拡大する円筒状に形成されている。拡径筒部１１は、小径筒部１０と同軸に配されているとともに、該小径筒部１０に直列に連結している。
【００２８】
なお、拡径筒部１１の一端部１１ａは、小径側の端部をなしており、他端部１１ｂは、大径側の端部をなしている。また、拡径筒部１１は、小径筒部１０内を通るワイヤハーネス５を内側に通す。拡径筒部１１の一端部１１ａの外径は、孔３の内径より小さく、拡径筒部１１の他端部１１ｂの外径は、孔３の内径より大きい。
【００２９】
拡径筒部１１の他端部１１ｂには、全周に亘って、係止凹部１３が設けられている。係止凹部１３は、図４などに示すように、拡径筒部１１の外表面１１ｃより凹に形成されている。係止凹部１３は、図４及び図５に示すように、前記他端部１１ｂ寄りの第１の壁１４と、拡径筒部１１の軸芯Ｐ（図中に一点鎖線で示す）に沿って第１の壁１４と対向する一端部１１ａ寄りの第２の壁１５と、前記第１の壁１４と第２の壁１５との間に設けられた溝１６により形成されている。第１の壁１４の外縁部には、第２の壁１５に向かって凸のリップ１７が全周に亘って設けられている。第２の壁１５は、拡径筒部１１の前述した他端部１１ｂに設けられ、第１の壁１４より一端部１１ａ寄りに配されている。溝１６は、その溝底面に、全周に亘って、リップ１８が突出している。
【００３０】
前述した係止凹部１３は、拡径筒部１１即ちグロメット１を矢印Ｋ（図１などに示す）に沿って一端部１１ａ（即ち小径筒部１０）からパネル２の孔３内に挿入して、第２の壁１５を一旦拡径筒部１１の内側に撓ませる。そして、溝１６の溝底面をパネル２の孔３の内面に接触させて、第２の壁１５を弾性復元力により初期状態に復帰させて、パネル２の孔３に係止する。
【００３１】
このとき、リップ１８は、図６及び図７に示すように、パネル２の孔３及びリング部４の内面に接触して、これらの孔３及びリング部４の内面との間を水密に保つ。さらに、このとき、リップ１７は、図６及び図７に示すように、パネル２の表面に接触して、このパネル２の表面との間を水密に保つ。
【００３２】
また、矢印Ｋ即ちグロメット１（拡径筒部１１）をパネル２の孔３内に挿入する方向は、拡径筒部１１即ちグロメット１の軸芯Ｐと平行である。すなわち、拡径筒部１１即ちグロメット１の軸芯Ｐに沿って、グロメット１をパネル２の孔３内に挿入する。なお、前述した初期状態とは、拡径筒部１１即ちグロメット１が弾性変形していない状態を示している。
【００３３】
また、グロメット１は、更に、凹み１９を備えている。凹み１９は、前述した第２の壁１５の表面１５ａから凹に形成されており、拡径筒部１１の全周に亘って設けられている。凹み１９は、前記軸芯Ｐを含んだグロメット１の断面において、前記第２の壁１５の表面１５ａから拡径筒部１１の外表面１１ｃに向かって延びている。このため、凹み１９は、軸芯Ｐを含んだグロメット１の断面において、前記第２の壁１５の表面１５ａから離れるのにしたがって、拡径筒部１１の外周に向かって延びている。
【００３４】
前述した構成のグロメット１をパネル２に取り付ける際には、まず、小径筒部１０と、パネル２の孔３とを軸芯Ｐに沿って相対させる。そして、矢印Ｋ即ち軸芯Ｐに沿って、拡径筒部１１即ちグロメット１を、図８に示すように、小径筒部１０即ち一端部１１ａより孔３内に徐々に挿入する。すると、図９に示すように、拡径筒部１１の外表面１１ｃが、パネル２の孔３の内縁に接触する。
【００３５】
さらに、拡径筒部１１即ちグロメット１をパネル２の孔３内に挿入（圧入）していくと、孔３及びリング部４の内面により、拡径筒部１１が該拡径筒部１１の内側に向かって押圧される。すると、図１０に示すように、前述した凹み１９がつぶれるとともに、内外径が縮小する方向に拡径筒部１１が弾性変形する。即ち、拡径筒部１１が、縮径（内外径が縮小することを示す）する方向に弾性変形する。
【００３６】
そして、パネル２の孔３及びリング部４が、溝１６内に位置する。すると、図１１に示すように、パネル２の孔３及びリング部４の内面にリップ１８が接触するとともに、パネル２の表面にリップ１７が接触する。こうして、リップ１７，１８が、パネル２との間を水密に保って、係止凹部１３がパネル２の孔３内に係止して、グロメット１は、パネル２に取り付けられる。
【００３７】
本実施形態によれば、第２の壁１５の表面１５ａから凹でかつ拡径筒部１１の外表面１１ｃに向かって延びた凹み１９を備えているので、パネル２の孔３内に拡径筒部１１の一端部１１ａ側から挿入すると、凹み１９がつぶれる方向に特に第２の壁１５即ち拡径筒部１１が弾性変形する。このため、容易に拡径筒部１１が、縮径する方向に弾性変形する。凹み１９がつぶれるなどして、容易に拡径筒部１１が縮径する方向に弾性変形しやすい。したがって、グロメット１は、容易に車体を構成するパネル２に取り付けることができる。
【００３８】
また、パネル２に係止凹部１３が係止した後即ちパネル２に取り付けられた後に、パネル２に取り付けの際と逆向き（矢印Ｋの逆向き）に引っ張られると、拡径筒部１１は、凹み１９が拡がる方向に弾性変形する。即ち、特に第２の壁１５が拡径（内外径が拡大することを示す）する方向に、拡径筒部１１が弾性変形する。このため、係止凹部１３の係止後に不意にパネル２から脱落することを確実に防止できる。
【００３９】
凹み１９が全周に亘って設けられているので、パネル２に取り付ける際に、全周に亘って拡径筒部１１が縮径する方向に弾性変形し易くなっている。したがって、より一層容易に車体を構成するパネル２に取り付けることができる。
【００４０】
［第２の実施形態］
次に、本発明の第２の実施形態にかかるグロメットを、図１２ないし図１５を参照して説明する。なお、前述した第１の実施形態と同一構成部分には、同一符号を付して説明を省略する。
【００４１】
本実施形態のグロメット１は、リブ１２を複数備えている。リブ１２は、図１２ないし図１４に示すように、拡径筒部１１の外表面１１ｃから凸でかつ前記軸芯Ｐに沿って直線状に伸びている。リブ１２は、係止凹部１３より一端部１１ａ寄りに配されている。リブ１２は、拡径筒部１１の一端部１１ａから第２の壁１５とに亘って設けられている。複数のリブ１２は、図１３に示すように、拡径筒部１１の軸芯Ｐを中心した周方向に沿って、等間隔に設けられている。
【００４２】
また、本実施形態のグロメット１も、前述した第１の実施形態のグロメット１と同様に、図１４及び図１５に示すように、拡径筒部１１の全周に亘って設けられた第２の壁１５の表面１５ａから凹の凹み１９を備えている。凹み１９は、前述した第１の実施形態と同様に、軸芯Ｐを含んだグロメット１の断面において、第２の壁１５の表面１５ａから拡径筒部１１の外表面１１ｃに向かって延びている。
【００４３】
本実施形態においても、パネル２の孔３内に小径筒部１０即ち一端部１１ａからグロメット１を圧入すると、凹み１９がつぶれてリブ１２及び拡径筒部１１が縮径する方向に弾性変形する。そして、係止凹部１３がパネル２の孔３に係止して、グロメット１がパネル２に取り付けられる。
【００４４】
本実施形態においても、前述した第１の実施形態と同様に、凹み１９が拡径筒部１１の全周に亘って設けられているので、パネル２の孔３に挿入する際に、凹み１９がつぶれるなどして、容易に拡径筒部１１が縮径する方向に弾性変形しやすい。したがって、グロメット１は、容易に車体を構成するパネル２に取り付けることができる。
【００４５】
また、パネル２に取り付けられた後に、矢印Ｋの逆向きに引っ張られると、拡径筒部１１は、凹み１９が拡がる方向に弾性変形する。即ち、特に第２の壁１５が拡径する方向に、拡径筒部１１が弾性変形する。このため、係止凹部１３の係止後に不意にパネル２から脱落することを確実に防止できる。
【００４６】
さらに、本実施形態のグロメット１は、リブ１２を複数備えている。このため、パネル２に取り付ける際に、リブ１２のみがパネル２と接触する。このように、パネル２に取り付けられる際に、該パネル２との接触面積が小さくなる。このため、パネル２に取り付ける際に、リブ１２及び拡径筒部１１のリブ１２が設けられた箇所に局部的な圧縮変形が起こり、拡径筒部１１が縮径する方向により弾性変形し易くなる。このため、より容易に車体を構成するパネル２に取り付けることができる。
【００４７】
［第３の実施形態］
次に、本発明の第３の実施形態にかかるグロメットを、図１６ないし図１８を参照して説明する。なお、前述した第１及び第２の実施形態と同一構成部分には、同一符号を付して説明を省略する。
【００４８】
本実施形態のグロメット１は、図１６及び図１７に示すように、前述した第２の実施形態と同様に、リブ１２を複数備えている。また、本実施形態では、図１８に示すように、拡径筒部１１のリブ１２より内側の箇所のみに凹み１９が設けられ、図１７に示すように、外表面１１ｃにリブ１２が形成されていない箇所より内側には凹み１９が設けられていない。前記拡径筒部１１のリブ１２より内側の箇所は、本明細書に記した拡径筒部１１のリブ１２が設けられた箇所をなしている。このように、本実施形態では、凹み１９は、拡径筒部１１のリブ１２が設けられた箇所のみに設けられている。
【００４９】
本実施形態においても、パネル２の孔３内に小径筒部１０即ち一端部１１ａからグロメット１を圧入すると、凹み１９がつぶれてリブ１２及び拡径筒部１１が縮径する方向に弾性変形する。そして、係止凹部１３がパネル２の孔３に係止して、グロメット１がパネル２に取り付けられる。
【００５０】
本実施形態においても、前述した第１及び第２の実施形態と同様に、凹み１９がつぶれるなどして、容易に拡径筒部１１が縮径する方向に弾性変形しやすい。したがって、グロメット１は、容易に車体を構成するパネル２に取り付けることができる。
【００５１】
また、パネル２に取り付けられた後に、矢印Ｋの逆向きに引っ張られると、拡径筒部１１は、凹み１９が拡がる方向に弾性変形する。即ち、特に第２の壁１５が拡径する方向に、拡径筒部１１が弾性変形する。このため、係止凹部１３の係止後に不意にパネル２から脱落することを確実に防止できる。
【００５２】
さらに、本実施形態のグロメット１は、リブ１２を複数備えている。このため、パネル２に取り付ける際に、リブ１２のみがパネルと接触する。このように、パネル２に取り付けられる際に、該パネル２との接触面積が小さくなる。このため、パネル２に取り付ける際に、リブ１２及び拡径筒部１１のリブ１２が設けられた箇所に局部的な圧縮変形が起こり、拡径筒部１１が縮径する方向により弾性変形し易くなる。このため、より容易に車体を構成するパネル２に取り付けることができる。
【００５３】
さらに、本実施形態のグロメット１は、リブ１２が設けられた箇所のみに凹み１９を設けている。このため、特に肉厚となるリブ１２が設けられた箇所が弾性変形しやすくなり、グロメット１は、容易に車体を構成するパネル２に取り付けることができる。
【００５４】
また、前述した第１及び第２の実施形態では、凹み１９を拡径筒部１１の全周に亘って設けている。しかしながら、本発明では、凹み１９を拡径筒部１１の一部に設けても良い。
【００５５】
［第４の実施形態］
次に、本発明の第４の実施形態にかかるグロメットを図１９ないし図２２を参照して説明する。なお、前述した第１ないし第３の実施形態と同一構成部分には、同一符号を付して説明を省略する。
【００５６】
前述した第1ないし第３の実施形態では、パネル２の孔３の内縁から円環状のリング部４が立設している形状のパネルを使用したが、本実施形態では、リング部４が設けられておらず孔３のみが設けられたパネル２を使用している。また、本実施形態では、図２０ないし図２２に示すように、リップ１８は、全周に亘って第1の壁１４と一体に形成されている。
【００５７】
本実施形態のグロメット１も、図２０ないし図２２に示すように、前述した第１ないし第３の実施形態のグロメット１と同様に、凹み１９を備えている。凹み１９は、前述した第２の壁１５の表面１５ａから凹に形成されており、拡径筒部１１の全周に亘って設けられている。本実施形態における凹み１９は、前記軸芯Ｐを含んだグロメット１の断面において、前記第２の壁１５の表面１５ａから拡径筒部１１の外表面１１ｃと軸芯Ｐとの双方と平行に延びている。
【００５８】
前述した構成のグロメット１をパネル２に取り付ける際には、前述した第１の実施形態で説明したように、小径筒部１０と、パネル２の孔３とを軸芯Ｐに沿って相対させる。そして、拡径筒部１１即ちグロメット１を、小径筒部１０即ち一端部１１ａより孔３内に徐々に挿入する。すると、拡径筒部１１の外表面１１ｃが、パネル２の孔３の内縁に接触する。
【００５９】
さらに、拡径筒部１１即ちグロメット１をパネル２の孔３内に挿入（圧入）していくと、孔３により、拡径筒部１１が該拡径筒部１１の内側に向かって押圧される。すると、図２１に示すように、第２の壁１５が凹み１９に嵌まり込んだ状態で密接する。即ち内外径が縮小する方向に拡径筒部１１が弾性変形する。
【００６０】
そして、パネル２の孔３が、溝１６内に位置する。すると、図２２に示すように、パネル２の孔３の内面にリップ１８が接触するとともに、パネル２の表面にリップ１７が接触する。こうして、リップ１７,１８が、パネル２との間を水密に保って、係止凹部１３がパネル２の孔３内に係止して、グロメット１は、パネル２に取りつけられる。
【００６１】
本実施形態のグロメット１は、第２の壁１５の表面１５ａから凹でかつ拡径筒部１１の外表面１１ｃと平行に延びた凹み１９が拡径筒部１１の全周に亘って設けられている。よって、グロメット１をパネル２の孔３に挿入する際、第２の壁１５が凹み１９に嵌まり込んだ状態で密接し、拡径筒部１１が縮径する方向に弾性変形しやすい。したがって、グロメット１は、容易に車体を構成するパネル２に取り付けることができる。
【００６２】
また、パネル２に取り付けられた後に、矢印Ｋの逆向きに引っ張られると、拡径筒部１１は、凹み１９が拡がる方向に弾性変形する。即ち、特に第２の壁１５が拡径する方向に、拡径筒部１１が弾性変形する。このため、係止凹部１３の係止後に不意にパネル２から脱落することを確実に防止できる。
【００６３】
［第５の実施形態］
次に、本発明の第５の実施形態にかかるグロメットを、図２３ないし図２５を参照して説明する。なお、前述した第１ないし第４の実施形態と同一構成部分には、同一符号を付して説明を省略する。
【００６４】
本実施形態のグロメット１も、図２３及び図２５に示すように、前述した第２及び第３の実施形態と同様に、リブ１２を複数備えている。また、本実施形態でも、図２４に示すように、前述した第１ないし第４の実施形態と同様に、凹み１９を備えている。凹み１９は、前述した第４の実施形態と同様に、第２の壁１５の表面１５ａから凹に形成されており、拡径筒部１１の全周に亘って設けられている。本実施形態における凹み１９は、前記軸芯Ｐを含んだグロメット１の断面において、前記第２の壁１５の表面１５ａから拡径筒部１１の外表面１１ｃと軸芯Ｐとの双方と平行に延びている。
【００６５】
本実施形態においても、パネル２の孔３内に小径筒部１０即ち一端部１１ａからグロメット１を圧入すると、第２の壁１５が凹み１９に嵌まり込んだ状態で密接する。即ち内外径が縮小する方向に拡径筒部１１が弾性変形する。そして、係止凹部１３がパネル２の孔３に係止して、グロメット１がパネル２に取り付けられる。
【００６６】
本実施形態においても、前述した第４の実施形態と同様に、第２の壁１５の表面１５ａから凹でかつ拡径筒部１１の外表面１１ｃと平行に延びた凹み１９が拡径筒部１１の全周に亘って設けられている。よって、グロメット１をパネル２の孔３に挿入する際、第２の壁１５が凹み１９に嵌まり込んだ状態で密接し、拡径筒部１１が縮径する方向に弾性変形しやすい。したがって、グロメット１は、容易に車体を構成するパネル２に取り付けることができる。
【００６７】
また、パネル２に取り付けられた後に、矢印Ｋの逆向きに引っ張られると、拡径筒部１１は、凹み１９が拡がる方向に弾性変形する。即ち、特に第２の壁１５が拡径する方向に、拡径筒部１１が弾性変形する。このため、係止凹部１３の係止後に不意にパネル２から脱落することを確実に防止できる。
【００６８】
さらに、本実施形態のグロメット１は、リブ１２を複数備えている。このため、パネル２に取り付ける際に、リブ１２のみがパネル２と接触する。このように、パネル２に取り付けられる際に、該パネル２との接触面積が小さくなる。このため、パネル２に取り付ける際に、リブ１２及び拡径筒部１１のリブ１２が設けられた箇所に局部的な圧縮変形が起こり、拡径筒部１１が縮径する方向により弾性変形し易くなる。このため、より容易に車体を構成するパネル２に取り付けることができる。
【００６９】
［第６の実施形態］
次に、本発明の第６の実施形態にかかるグロメットを、図２６ないし図２８を参照して説明する。なお、前述した第１ないし第５の実施形態と同一構成部分には、同一符号を付して説明を省略する。
【００７０】
本実施形態のグロメット１は、図２６及び図２８に示すように、前述した第２,３,５の実施形態と同様に、リブ１２を複数備えている。また、本実施形態でも、図２８に示すように、前述した第１ないし第５の実施形態と同様に凹み１９を備えている。凹み１９は、前述した第３の実施形態と同様に、拡径筒部１１のリブ１２が設けられた箇所のみに設けられている。本実施形態における凹み１９は、前記軸芯Ｐを含んだグロメット１の断面において、前記第２の壁１５の表面１５ａから拡径筒部１１の外表面１１ｃと軸芯Ｐとの双方と平行に延びている。
【００７１】
本実施形態においても、パネル２の孔３内に小径筒部１０即ち一端部１１ａからグロメット１を圧入すると、第２の壁１５が凹み１９に嵌まり込んだ状態で密接する。即ち内外径が縮小する方向に拡径筒部１１が弾性変形する。そして、係止凹部１３がパネル２の孔３に係止して、グロメット１がパネル２に取り付けられる。
【００７２】
本実施形態においては、第２の壁１５の表面１５ａから凹でかつ拡径筒部１１の外表面１１ｃと平行に延びた凹み１９が拡径筒部１１のリブ１２が設けられた箇所にのみ設けられている。よって、グロメット１をパネル２の孔３に挿入する際、第２の壁１５が凹み１９に嵌まり込んだ状態で密接し、拡径筒部１１が縮径する方向に弾性変形しやすい。したがって、グロメット１は、容易に車体を構成するパネル２に取り付けることができる。
【００７３】
また、パネル２に取り付けられた後に、矢印Ｋの逆向きに引っ張られると、拡径筒部１１は、凹み１９が拡がる方向に弾性変形する。即ち、特に第２の壁１５が拡径する方向に、拡径筒部１１が弾性変形する。このため、係止凹部１３の係止後に不意にパネル２から脱落することを確実に防止できる。
【００７４】
さらに、本実施形態のグロメット１は、リブ１２を複数備えている。このため、パネル２に取り付ける際に、リブ１２のみがパネルと接触する。このように、パネル２に取り付けられる際に、該パネル２との接触面積が小さくなる。このため、パネル２に取り付ける際に、リブ１２及び拡径筒部１１のリブ１２が設けられた箇所に局部的な圧縮変形が起こり、拡径筒部１１が縮径する方向により弾性変形し易くなる。このため、より容易に車体を構成するパネル２に取り付けることができる。
【００７５】
さらに、本実施形態のグロメット１は、リブ１２が設けられた箇所のみに凹み１９を設けている。このため、特に肉厚となるリブ１２が設けられた箇所が弾性変形しやすくなり、グロメット１は、容易に車体を構成するパネル２に取り付けることができる。
【００７６】
また、前述した第１,２,４,５の実施形態では、凹み１９を拡径筒部１１の全周に亘って設けている。しかしながら、本発明では、凹み１９を拡径筒部１１の一部に設けても良い。
【００７７】
また、前述したグロメット１をパネル２から取り外す際には、図２９に示す治具３０を用いる。治具３０はリング状でかつ、その内径がパネル２の孔３の内径と等しい。該治具３０を用いてグロメット１をパネル２から取り外す方法を以下に説明する。
【００７８】
まず、小径筒部１０と、リング状の治具３０とを軸芯Ｐに沿って相対させる。そして、矢印Ｋ２即ち軸芯Ｐに沿って、治具３０を、グロメット１の小径筒部１０即ち一端部１１ａより徐々に挿入する。すると、治具３０の内側と拡径筒部１１の外表面１１ｃが接触し、さらに、図３０に示すように、前述した第２の壁１５が凹み１９に嵌まり込んだ状態で密接するとともに、内外径が縮小する方向に拡径筒部１１が弾性変形する。即ち、拡径筒部１１が、縮径（内外径が縮小することを示す）する方向に弾性変形する。すると、図３０に示すように、係止凹部１３のパネル２の孔３への係止が解除される。
【００７９】
さらにグロメット１をパネル２から挿入方向と逆向きに引っ張ることによって、グロメット１は容易にパネル２の孔３から取り外すことができる。
【００８０】
前述した開示例によれば次のグロメット１の取り外し方法が得られる。
（付記）
パネル２の孔３に係止したグロメット１を該パネル２から取り外すグロメット１の取り外し方法において、
前記パネル２の孔３の内径と、内径が等しいリング状の治具３０を、前記グロメット１の小径筒部１０側からグロメット１の外周に嵌合させて、グロメット１のパネル２への係止を解除する
ことを特徴とするグロメット１の取り外し方法。
【００８１】
付記によれば、グロメット１が挿入されたパネル２の孔３の内径と、内径が等しいリング状の治具３０をグロメット１の外周に嵌合させることによって、拡径筒部１１が縮径する方向に弾性変形し、係止凹部１３のパネル２への係止が解除される。よって容易にグロメット１をパネル２の孔３から取り外すことができる。
【００８２】
また、前述した開示例では、凹み１９が拡径筒部１１の全周に亘って設けられているグロメット１の例を示したが、本発明では、凹み１９を拡径筒部１１の一部に設けても良い。また、開示例ではリブ１２を備えたグロメット１の例を示したが、リブ１２を備えていないグロメット１にも適用可能なことは勿論である。
【００８３】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００８４】
【図１】本発明の第１の実施形態にかかるグロメットとこのグロメットが取り付けられるパネルを示す斜視図である。
【図２】図１に示されたグロメットの平面図である。
【図３】図１に示されたグロメットの側面図である。
【図４】図２中のＩＶ−ＩＶ線に沿う断面図である。
【図５】図４中のＶ部を拡大して示す断面図である。
【図６】図１に示されたグロメットがパネルに取り付けられた状態を示す断面図である。
【図７】図６中のＶＩＩ部を拡大して示す断面図である。
【図８】図１に示されたグロメットがパネルの孔に挿入された状態の要部を拡大して示す断面図である。
【図９】図８に示されたグロメットの拡径筒部の外表面にパネルの孔の内縁が接触した状態の要部を拡大して示す断面図である。
【図１０】図９に示されたグロメットが更にパネルの孔に挿入されて、凹みがつぶれた状態の要部を拡大して示す断面図である。
【図１１】図１０に示されたグロメットの係止凹部がパネルの孔に係止した状態の要部を拡大して示す断面図である。
【図１２】本発明の第２の実施形態にかかるグロメットを示す斜視図である。
【図１３】図１２に示されたグロメットの平面図である。
【図１４】図１３中のＸＩＶ−ＸＩＶ線に沿う断面図である。
【図１５】図１３中のＸＶ−ＸＶ線に沿う断面図である。
【図１６】本発明の第３の実施形態にかかるグロメットの平面図である。
【図１７】図１６中のＸＶＩＩ−ＸＶＩＩ線に沿う断面図である。
【図１８】図１６中のＸＶＩＩＩ−ＸＶＩＩＩ線に沿う断面図である。
【図１９】本発明の第４の実施形態にかかるグロメットの平面図である。
【図２０】図１９中のＸＩＸ−ＸＩＸ線に沿う断面図である。
【図２１】図２０に示されたグロメットがパネルの孔に挿入されて、凹みがつぶれた状態の要部を拡大して示す断面図である。
【図２２】図２１に示されたグロメットの係止凹部がパネルの孔に係止した状態の要部を拡大して示す断面図である。
【図２３】本発明の第５の実施形態にかかるグロメットの平面図である。
【図２４】図２３中のＸＸ−ＸＸ線に沿う断面図である。
【図２５】図２３中のＸＸＩ−ＸＸＩ線に沿う断面図である。
【図２６】本発明の第６の実施形態にかかるグロメットの平面図である。
【図２７】図２６中のＸＸＩＩ−ＸＸＩＩ線に沿う断面図である。
【図２８】図２６中のＸＸＩＩＩ−ＸＸＩＩＩ線に沿う断面図である。
【図２９】本発明のグロメットをパネルから取り外す様子を説明した説明図である。
【図３０】本発明のグロメットをパネルから取り外すための治具を挿入する様子を示した図である。
【図３１】従来のグロメットの断面図である。
【図３２】図３１中のＸＸＩＶ部を拡大して示す断面図である。
【符号の説明】
【００８５】
１  グロメット
２  パネル
３  孔
５  ワイヤハーネス
１１  拡径筒部
１１ａ  一端部（小径側の端部）
１１ｂ  他端部（大径側の端部）
１１ｃ  外表面
１２  リブ
１３  係止凹部
１４  第１の壁
１５  第２の壁
１５ａ  表面
１９  凹み
【図１】
2005210883.tif 000003
【図２】
2005210883.tif 000004
【図３】
2005210883.tif 000005
【図４】
2005210883.tif 000006
【図５】
2005210883.tif 000007
【図６】
2005210883.tif 000008
【図７】
2005210883.tif 000009
【図８】
2005210883.tif 000010
【図９】
2005210883.tif 000011
【図１０】
2005210883.tif 000012
【図１１】
2005210883.tif 000013
【図１２】
2005210883.tif 000014
【図１３】
2005210883.tif 000015
【図１４】
2005210883.tif 000016
【図１５】
2005210883.tif 000017
【図１６】
2005210883.tif 000018
【図１７】
2005210883.tif 000019
【図１８】
2005210883.tif 000020
【図１９】
2005210883.tif 000021
【図２０】
2005210883.tif 000022
【図２１】
2005210883.tif 000023
【図２２】
2005210883.tif 000024
【図２３】
2005210883.tif 000025
【図２４】
2005210883.tif 000026
【図２５】
2005210883.tif 000027
【図２６】
2005210883.tif 000028
【図２７】
2005210883.tif 000029
【図２８】
2005210883.tif 000030
【図２９】
2005210883.tif 000031
【図３０】
2005210883.tif 000032
【図３１】
2005210883.tif 000033
【図３２】
2005210883.tif 000034